(57)【要約】【課題】この発明は、簡易な構成で、且つ、簡便にして容易に高精度な仕掛け調整を実現し得るようにして、取扱い性の向上を図ることにある。【解決手段】小径竿管１０と元竿管１７の間に配される第４の竿管１４に仕掛けの長さを規定する複数の仕掛け長さ調整用目印２０を所定の間隔に設けて構成し、所期の目的を達成した。【選択図】      図１
2005095082.tif 000002
【特許請求の範囲】
【請求項１】
複数の竿管が継ぎ合わされ、前記竿管の穂先と元竿管との間に配される中節に仕掛けの長さを規定する複数の仕掛け長さ調整用目印を具備したことを特徴とする鮎竿。
【請求項２】
前記複数の目印は、連接される中節の双方に亙って設けられることを特徴とする請求項１記載の鮎竿。
【請求項３】
前記複数の目印は、前記竿管の表面より突出して形成されることを特徴とする請求項１又は２記載の鮎竿。
【請求項４】
前記複数の目印は、少なくとも一個が次中節の玉口内壁に摺動自在に嵌合されることを特徴とする請求項３記載の鮎竿。
【請求項５】
前記複数の目印の少なくとも一個に隣接して選択的に着脱される玉口落ち込み防止部材を備えることを特徴とする請求項１乃至４のいずれか記載の鮎竿。
【発明の詳細な説明】
【技術分野】
【０００１】
この発明は、例えば鮎釣りに用いられる鮎竿に関する。
【背景技術】
【０００２】
一般に、鮎釣りを行う場合には、例えば８本の竿管を継ぎ合わせて９ｍ以上の長さを有する鮎竿が用いられる。このような鮎竿は、穂先に比較的、径の太い天上糸が取り付けられ、この天上糸の先端に、例えばおとり鮎が取り付けられる仕掛けの設けられる径の細い水中糸が取付けられる。
【０００３】
このような鮎竿は、天上糸の先部に、仕掛け長さ調整用の編み込み部が設けられ、この編み込み部を調整することにより、天上糸の長さ調整を行い、その後、この天上糸の先端部に水中糸を取り付けることで、仕掛けの先端が元竿管より、度の程度有るかを表す、所謂、バカの寸法が、その釣り環境等に応じた最適な状態に設定されて、鮎釣りが行われる。
【０００４】
ところで、従来、釣竿の仕掛け調整手段としては、例えば竿管に目盛を設けて、穂先に取付けた釣糸の先端部の釣り針や浮き等の仕掛けを、竿管の目盛に当てて仕掛け長さ等の状態を確認することにより、その調整を行う構成のものが知られている（例えば、特許文献１参照）。
【特許文献１】実用新案登録番号第３０１７８４６号公報
【発明の開示】
【発明が解決しようとする課題】
【０００５】
しかしながら、上記鮎竿にあっては、その竿の長さ寸法が、例えば９ｍ以上と長く、川に出て仕掛けの長さの調整を行う場合、その竿を延ばした状態で、釣糸の中間に位置する編み込み部を調整しなければならないために、その仕掛け調整が非常に面倒であるという不都合を有する。
【０００６】
ところが、上記引用文献１では、その釣糸の先端部の釣り針や浮きを、直接的に竿管の目盛に当てて仕掛けの状態を確認する構成のために、９ｍ以上の長い竿を用いるうえ、天上糸を調整して仕掛けと元竿管との関係を表すバカを調整する鮎釣りの仕掛け調整に適用すると、その調整が非常に面倒であるという不都合を有する。
【０００７】
この発明は上記の事情に鑑みてなされたもので、簡易な構成で、且つ、簡便にして容易に高精度な仕掛け調整を実現し得るようにして、取扱い性の向上を図った鮎竿を提供することを目的とする。
【課題を解決するための手段】
【０００８】
この発明は、複数の竿管が継ぎ合わされ、前記竿管の穂先と元竿管との間に配される中節に仕掛けの長さを規定する複数の仕掛け長さ調整用目印を備えて鮎竿を構成した。
【０００９】
上記構成によれば、釣糸の中間部を、中節の目印のいずれかに合わせて規定することにより、仕掛け長さを調整することができるため、竿管を縮めた縮小状態で、所謂、バカの調整が可能となる。従って、竿の取扱い性の向上が図れて、可及的に仕掛け調整操作の簡便化を図ることが可能となる。
【発明の効果】
【００１０】
上述したように、この発明によれば、簡易な構成で、且つ、簡便にして容易に高精度な仕掛け調整を実現し得るようにして、取扱い性の向上を図った鮎竿を提供することができる。
【発明を実施するための最良の形態】
【００１１】
以下、この発明の実施の形態について、図面を参照して詳細に説明する。
【００１２】
図１は、この発明の一実施の形態に係る鮎竿の伸張状態を示すもので、穂先竿の小径竿管１０は、中節を構成する第１乃至第６の竿管１１〜１６を介して元竿管１７に振出式に伸縮自在に連接される。これら小径竿管１０、第１乃至第６の竿管１１〜１６及び元竿管１７は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空状にそれぞれ形成される。
【００１３】
上記小径竿管１０には、その先端に図２に示すように約５ｍ程度の長さ寸法を有する天上糸１８の基端が取付けられる。この天上糸１８は、その先部に長さ調整用の編み込み部１８１が移動調整自在に設けられ、この編み込み部１８１の移動位置に応じて先端の糸取付部１８２の位置が移動調整される。そして、この天上糸１８の糸取付部１８２には、所定の長さ、例えば約４ｍ程度の長さ寸法を有する水中糸１９の基端が取付けられる。この水中糸１９の先端部には、図示しない仕掛けが設けられ、この仕掛けは、上記天上糸１８の糸取付部１８２の位置に応じて、元竿管１７との関係を表す所謂、バカと称する仕掛け長が規定される。
【００１４】
また、上記第１乃至第６の竿管１１〜１６のうち、天上糸１８の糸取付部１８２の調整位置に応じた例えば第４の竿管１４には、図２に示すように仕掛け長さ調整用の複数の目印２０が、水中糸１９の仕掛けの長さ寸法（バカ寸法）に応じて、例えば竿軸方向の所定の位置を０（バカ０）として１０ｃｍ間隔で５０ｃｍの間に６箇所設けられる。この目印２０は、例えば第４の竿管１４の表面に竿軸に対して略直交して弧状に設けられ、その所定数毎に色分け等が施されて川の中においてもその位置確認が可能に設けられる。そして、この目印２０は、例えば全長が９ｍの竿長の場合、穂先より５ｍの位置から５．５ｍの位置に設けられ、全長が９．５ｍの竿長の場合、穂先より５．５ｍの位置から６ｍの位置に設けられる。
【００１５】
上記目印２０は、例えば図３に示すように第４の竿管１４の一部に湾曲状の突出部材２０１を、両面テープ等を用いて竿軸に対して略直交して線状に貼付られて設けられる。これにより、目印２０が視認し易く、しかも、手での位置確認が可能となり、仕掛け調整時における誤調整の防止が図れて、簡便にして容易に正確な仕掛け長さ調整を実現することが可能となる。
【００１６】
この目印２０を構成する上記突出部材２０１の突出量は、連接される第５の竿管１５の玉口内壁に摺動自在に嵌合されると、若干の摩擦力が生じて、該第５の竿管１５内に重力により自然に進入しない程度の寸法に形成される。これにより、仕掛け調整時において、第４の竿管１４が、重力による自然落下により、第５の竿管１５の玉口内に進入することが防止されることで、仕掛け調整時における竿取扱い性の向上が図れて、仕掛け調整に集中することが可能となる。
【００１７】
また、上述したように仕掛け調整中において、第４の竿管１４は、第５の竿管１５より延出された伸張状態が維持されることにより、上述したように小径竿管１０に取付けられる天上糸１８の編み込み部１８１の移動調整が容易に実現され、しかも、その調整位置において、糸取付部１８２への水中糸１９の取付けも容易に行うことが可能となる。なお、突出部材２０１は、竿管より軟質材で形成したり、その表面に滑り抵抗の大きな被膜処理を施すようにしても良い。これによると、目印２０の突出部材２０１により、竿管玉口の内壁の傷防止を効果的に図ることが可能となる。
【００１８】
上記構成により、仕掛けの位置を調整する場合には、先ず、小径竿管１０、第１乃至第４の竿管１１〜１４を延ばした状態で、小径竿管１０に取付けた天上糸１８の編み込み部１８１を移動させて、糸取付部１８２を、例えば目印２０の０位置（図３参照）に合致させ、この糸取付部１８２に対して水中糸１９の基端が取付けられる。これにより、水中糸１９は、その仕掛けの位置がバカ０に調整される。
【００１９】
また、天上糸１８は、その編み込み部１８１を移動させて、糸取付部１８２を目印２０の１０位置、２０位置等に移動させて規定すると（図３参照）、その移動位置に応じて水中糸１９の仕掛けが、バカ１０、バカ２０に調整される。この際、第４の竿管１４は、その目印２０が第５の竿管１５の玉口内に接触され、その摩擦力により、該第５の竿管１５の玉口内への進入が規制され、天上糸１８の編み込み部１８１の移動調整を容易に行うことができる。
【００２０】
そして、釣り途中において、仕掛けの調整を行う場合には、第５の竿管１５から元竿管１７を縮めた状態で、同様に天上糸１８の編み込み部１８１を移動調整し、その糸取付部１８２を目印２０の所望の位置に設定する。これにより、水中糸１９の仕掛けは、そのバカが、天上糸１８の糸取付部１８２の規定された位置に可変調整される。
【００２１】
このように、上記鮎竿は、小径竿管１０と元竿管１７の間に配される第４の竿管１４に仕掛けの長さを規定する複数の仕掛け長さ調整用目印２０を所定の間隔に設けて構成した。
【００２２】
これによれば、小径竿管１０に取付けた天上糸１８の糸取付部１８２を、所望の目印に合わせて規定することにより、該天上糸１８の糸取付部１８２に取付ける水中糸１９の仕掛け長さが可変設定されるため、小径竿管１０、第１乃至第４の竿管１１〜１４だけを延ばした竿縮小状態で、所謂、バカの寸法調整が可能となる。この結果、仕掛け調整時に竿を、縮小したり、伸張したりする伸縮を繰り返し行うことがなくなるため、竿取扱い性の向上が図れて、簡便にして容易な仕掛け調整を実現することが可能となる。
【００２３】
また、この発明は、上記実施の形態に限ることなく、その他、図４に示すように複数の目印３０を設けるように構成しても、上記実施の形態と略同様の効果を期待することができる。但し、図４においては、上記図１乃至図３と同一部分について同一符号を付して、その詳細な説明を省略する。
【００２４】
即ち、図４に示す目印３０は、略点状の凸状部材３０１を、第４の竿管１４の表面に複数個を竿軸に略直交して略弧状に配し、この複数個を略弧状に配したものを竿軸方向に所定の間隔に複数列設けて構成した。この目印３０は、例えば凸状部材３０１を両面テープを用いて第４の竿管１４の表面に貼り付けることにより形成される。
【００２５】
なお、上記各実施の形態における目印３０は、例えば第４の竿管１４と別体に形成して、第４の竿管１４の表面に貼り付けるように構成した場合で説明したが、これに限ることなく、その他、上記目印３０を、第４の竿管１４の表面に一体的に形成するように構成することも可能である。
【００２６】
また、上記各実施の形態では、湾曲状の突出部材２０１を第４の竿管１４の表面に貼り付けた目印２０、あるいは凸状部材３０１を第４の竿管１４の表面に貼り付けた目印３０を用いて構成した場合で説明したが、これに限ることなく、その他、例えば印刷、塗装、シールにより第４の竿管１４の表面に目印を形成するように構成することも可能で、略同様の効果を期待することができる。この場合には、竿重量の増加を防止することが可能となり、この点からも竿取扱い性の向上が図れる。
【００２７】
そして、このような印刷、塗装、シールにより目印を形成した場合には、例えば図５に示すような第４の竿管１４の周壁に選択的に着脱することのできる弾性変形自在な一部に開口部３１１を有した略リング状の玉口落ち込み防止部材３１を、別途に用意しておいて、仕掛け調整時に、この玉口落ち込み防止部材３１を、その弾性力を利用して第４の竿管１４の目印に並設して装着する。
【００２８】
この玉口落ち込み防止部材３１は、目印との引っ掛かりにより、仕掛け調整時、第４の竿管１４が次竿管である第５の竿管１５の玉口への進入を規制する。これにより、上記各実施の形態と略同様に、重力による自然落下を防止した状態で、目印を用いた仕掛け調整を実現することが可能となり、仕掛け調整時の竿取扱いの簡略化を確保することができる。なお、上記玉口落ち込み防止部材３１は、例えばゴム、コルク、樹脂材料、発泡材料等の柔軟材料で弾性変形自在に形成される。
【００２９】
また、上記玉口落ち込み防止部材３１は、仕掛け調整時、目印の設けられた第４の竿管１４の次竿管である第５の竿管１５の玉口内に選択的に装着し、第４の竿管１４の第５の竿管１５の玉口への進入を規制するストッパーとして用いるように構成してもよく、略同様の効果が期待される。
【００３０】
さらに、上記各実施の形態では、目印２０，３０を中節を構成する１本の竿管に設けて構成した場合で説明したが、これに限ることなく、例えば目印を中節を構成する２本の連接される竿管に亙って設けるように構成することも可能である。この場合、突出部２０１や凸状部材３０１や玉口落ち込み防止部材３１を設けなくても、連接される竿管通しの嵌合部の嵌合によって自然落下を防止した状態で、目印を用いた仕掛け調整を実現することが可能となる。
【００３１】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る鮎竿の伸張状態を示した平面図である。
【図２】図１の要部を取り出して示した平面図である。
【図３】図２の目印を拡大して示したもので、同図（ａ）は、平面を示した平面図、同図（ｂ）は、同図（ａ）のＡ―Ａを断面して示した断面図である。
【図４】この発明の他の実施の形態に係る鮎竿の目印を拡大して示したもので、同図（ａ）は、平面を示した平面図、同図（ｂ）は、同図（ａ）のＢ―Ｂを断面して示した断面図である。
【図５】この発明の他の実施の形態に係る鮎竿に用いられる玉口落ち込み防止部材を取り出して示したもので、同図（ａ）は、側面から見た状態を示す平面図、同図（ｂ）は、正面から見た状態を示す平面図である。
【符号の説明】
【００３４】
１０…小径竿管、１１…第１の竿管、１２…第２の竿管、１３…第３の竿管、１４…第４の竿管、１５…第５の竿管、１６…第６の竿管、１７…元竿管、１８…天上糸、１８１…編み込み部、１８２…糸取付部、１９…水中糸、２０…目印、２０１…突出部材、３０…目印、３０１…凸状部材、３１…玉口落ち込み防止部材、３１１…開口部。
【図１】
2005095082.tif 000003
【図２】
2005095082.tif 000004
【図３】
2005095082.tif 000005
【図４】
2005095082.tif 000006
【図５】
2005095082.tif 000007